(57)【要約】      （修正有）【課題】田畑や果樹園などに接近して来る野生の鳥、猪、猿、鹿などの鳥獣を、効果的に追い払うことができる案山子を提供する。【解決手段】案山子の頭部１３の円周方向に複数の顔面を有し、上半身または頭部が円周方向に回転自在で、頭部顔面の眼球部に発光体ユニットを設けて、鳥獣を光により威嚇し、内部に音声発生ユニットを設けて、鳥獣を音により威嚇する。また、昼夜を判別する光センサと、発光体ユニットおよび音声発生ユニットの作動を任意に設定できる回路を設け、外部にソーラーパネルを設け、内部にソーラーパネルの起電力により充電される蓄電池を設け、該蓄電池を電源として発光体ユニットおよび音声発生ユニットを作動させる。【選択図】図３
0003155629.tif 000002
【実用新案登録請求の範囲】
【請求項１】
野生の鳥、猪、猿、鹿などの鳥獣が接近して、農作物を荒らすのを防止するために、田畑や果樹園などに設置する、人間の上半身を模した外観形状からなる案山子において、頭部の円周方向に複数の顔面を有し、上半身または頭部が円周方向に回転自在な鳥獣害防止用案山子。
【請求項２】
頭部顔面の眼球部に発光体ユニットを設けて、鳥獣を光により威嚇し、内部に音声発生ユニットを設けて、鳥獣を音により威嚇する請求項１記載の鳥獣害防止用案山子。
【請求項３】
昼夜を判別する光センサと、発光体ユニットおよび音声発生ユニットの作動を任意に設定できる回路を設けて、各ユニットを作動させる請求項２記載の鳥獣害防止用案山子。
【請求項４】
外部にソーラーパネルを設け、内部にソーラーパネルの起電力により充電される蓄電池を設け、該蓄電池を電源として発光体ユニットおよび音声発生ユニットを作動させる請求項３記載の鳥獣害防止用案山子。
【考案の詳細な説明】
【技術分野】
【０００１】  本考案は、田畑や果樹園などに設置して、野生の鳥、猪、猿、鹿などの鳥獣が接近して農作物を荒らすのを防止するための鳥獣害防止用案山子に関する。
【背景技術】
【０００２】  従来から、田畑や果樹園などには、野生の鳥、猪、猿、鹿などの鳥獣による農作物の被害を防止するために、人間の形を模した案山子が設置されていた。しかし、野生の鳥、猪、猿、鹿などの鳥獣は、案山子を初めて見たときは、人間と思って近づかないものの、動きもせず威嚇音も発しないことから人間ではないことがわかると、容易に田畑や果樹園などに侵入して農作物を荒らすことがあった。
【先行技術文献】
【特許文献】
【０００３】
【特許文献１】特開平８−１２６４６０号
【考案の概要】
【考案が解決しようとする課題】
【０００４】  上記の鳥獣害防止具は、頭部の顔面は１面で威嚇効果が低く、また、従来の案山子は人間を模した外観形状の人形を立てているだけで、当初は効果があっても次第に威嚇効果が薄れ、野生の鳥、猪、猿、鹿などは恐れることなく接近してくる。本考案の目的は、田畑や果樹園などに接近して来る野生の鳥、猪、猿、鹿などの鳥獣を、効果的に追い払うことができる鳥獣害防止用案山子を提供することにある。
【課題を解決するための手段】
【０００５】  野生の鳥、猪、猿、鹿などの鳥獣が接近して、農作物を荒らすのを防止するために、田畑や果樹園などに設置する、人間の上半身を模した外観形状からなる案山子において、頭部の円周方向に複数の顔面を有し、上半身または頭部が円周方向に回転自在で、頭部顔面の眼球部に発光体ユニットを設けて、鳥獣を光により威嚇し、内部に音声発生ユニットを設けて、鳥獣を音により威嚇する。また、昼夜を判別する光センサと、発光体ユニットおよび音声発生ユニットの作動を任意に設定できる回路を設け、外部にソーラーパネルを設け、内部にソーラーパネルの起電力により充電される蓄電池を設け、該蓄電池を電源として発光体ユニットおよび音声発生ユニットを作動させる。
【考案の効果】
【０００６】  上述の様に、本考案の鳥獣害防止用案山子は、頭部の円周方向に複数の顔面を有し、上半身または頭部が円周方向に回転自在であるため、接近する鳥獣に対して、あたかも人間が睨み付けるような効果があり、接近して来る鳥獣を追い払うことができる。また、眼球部の発光体ユニットと、内部の音声発生ユニットにより、学習機能を持つ鳥獣に対して、さらに威嚇効果を高めることが出でき、電源はソーラーパネルにより電源コードや電池交換の必要がなくなる。
【図面の簡単な説明】
【０００７】
【図１】本考案の案山子の全体図。
【図２】胴部内部の部分図。
【図３】上半身の外観形状図。
【図４】マスク前面の顔面の図。
【図５】マスク後面の顔面の図。
【考案を実施するための形態】
【０００８】  人間の上半身を模した案山子を、田畑や果樹園に直立させ、胴部の服は着せ替えることができるため、学習機能を持つ鳥獣に対して効果がある。スプリングの腕と手は、風などにより胴部が回転、停止した際には大きく揺れて、あたかも本当の人間が手を振っているような動きをして、鳥獣を威嚇することができる。頭部の前面には人間の顔面、後面には猛獣の顔面を持つマスクをかぶせ、胴部が回転した際には、顔面の方向が変わるが、前後面に２つの顔面により、近づいてくる鳥獣に対して、回転の都度、それぞれの顔面で睨み付ける効果がある。
【０００９】  また、顔面の眼球部は発光体ユニットで威嚇効果を高め、口部の音声発生ユニットは、音声で威嚇することができる。各ユニットの作動を任意に設定できる回路により、様々な状況に応じた対応が可能となり、ソーラーパネルと蓄電池により、電源コードの必要もなく、電池交換の必要もなくなる。
【実施例】
【００１０】  以下、図に従って実施例を説明する。図１のように人間の上半身を模した外観形状からなり、胴部中心には田畑や果樹園の地面に突き刺して直立させるための中心軸１を設ける。また、平坦な地面に設置する場合には、中心に中心軸１の下端を挿入するための、勘合部２を有する円盤状の設置板３を取り付ける。【００１１】  胴部４は布やビニール素材の服５を着せるために、人間の胴部の輪郭形状からなる胴部骨組み６を形成する。図２は胴部４の部分図で、胴部骨組み６と中心軸１との連結部７は玉軸受け８を設け、中心軸１に対して胴部４は回転自在にする。【００１２】  図３は上半身の外観形状図で、胴部４は胴部骨組み６を覆う服５を着せ替えることができるため、一定の期間をおいて異なる服５に着せ替えることににより、学習機能を持つ鳥獣に対して効果がある。【００１３】  図１のように胴部４の両肩部９には、スプリングや樹脂などの弾性体からなる両腕１０を延設し、その先端に手１１を取り付ける。【００１４】  両腕１０は弾性体で形成されているため、中心軸１に対して回転自在に取り付けられた胴部４が、風などにより回転、停止した際には、慣性力により左右の手１１が大きく揺れ、あたかも本当の人間が手を振っているような動きをして、近付いて来る鳥獣を威嚇することができる。【００１５】  胴部４の上方には人間の頭部の輪郭形状からなる頭部骨組み１２を設け、ゴムやビニール素材からなり、頭部１３の前面には図４のような人間の顔面１５ａ、後面には図５のような猛獣の顔面１５ｂを持つ袋状のマスク１４をかぶせる。【００１６】  図３の状態で胴部４が風などにより回転した際には、頭部骨組み１２にかぶせたマスク１４の顔面１５ａ、１５ｂの方向が変わるが、マスク１４には前後面に２つの顔面１５ａ、１５ｂが設けられているため、近づいてくる鳥獣に対して、回転の都度、それぞれの顔面１５ａ、１５ｂで睨み付ける効果がある。【００１７】  マスク１４に設けられた２つの顔面１５ａ、１５ｂは、異なる形相にすることにより、学習機能を持つ鳥獣に対して威嚇効果があり、また、頭部骨組み１２に対してマスク１４は交換が可能なため、人間、猛獣など、近付いてくる鳥獣に威圧を与える様々な形相により、より効果を上げることがでいる。【００１８】  図４および図５のように顔面１５ａ、１５ｂの眼球部１６にはＬＥＤやランプなどの発光体ユニット１７を埋め込み、様々な形相に加え昼夜を問わず、発光による威嚇効果を高めることができる。【００１９】  顔面１５ａ、１５ｂの口部内には音声発生ユニット１８を設け、顔面１５ａ、１５ｂの形相および眼球部１６の発光体ユニット１７による威嚇に加え、音声でも威嚇することができる。【００２０】  また、音声発生ユニット１８は  人の声に限らず、鳥獣に威嚇効果のある様々な種類の音に設定が可能なユニットを設け、近付いて来る鳥獣の種類に対応して、その鳥獣が嫌う音声や音で威嚇することができる。【００２１】  マスク１４の頭部先端に図４のように昼夜を判別する光センサ１９を設け、胴部４の内部には発光体ユニット１７および音声発生ユニット１８の作動を任意に設定できる回路２０を図２のように設ける。【００２２】  昼夜を判別する光センサ１９と、発光��ユニット１７および音声発生ユニット１８の作動を、任意に設定できる回路２０により、昼のみ、夜のみ、または昼夜に、発光体ユニット１７のみ、音声発生ユニット１８のみ、または発光体ユニット１７と音声発生ユニット１８の両方を作動させるなどの設定ができるため、様々な状況に応じた対応が可能となる。【００２３】  また、発光体ユニット１７および音声発生ユニット１８を制御する基盤にはタイマー回路２１を図２のように設け、前記の各設定による発光体ユニット１７および音声発生ユニット１８の作動は、任意の間隔（時間）をおいて作動させることもできる。【００２４】  マスク１４の頭部には図４のようにソーラーパネル２２を設け、胴部４の内部にソーラーパネル２２の起電力により充電される蓄電池２３を図２のように設け、該蓄電池２３を電源として発光体ユニット１７および音声発生ユニット１８を作動させることにより、電源コードの必要もなく、蓄電池のみの場合のような電池交換の必要もなく、使用することができる。【００２５】  上記実施例ではマスク１４の顔面１５ａ、１５ｂを前面と後面の２面としたが、円周方向に異なる３面以上の複数面にすることにより、様々な形相の顔面で、より威嚇効果を高めることもできる。【００２６】  また、各種ユニット、回路２０および蓄電池２３を胴部の内部に配置したが、頭部１３の内部など作動に支障のない部分であればいかなる所に配置してもよい。
【符号の説明】
【００２７】１      中心軸
２      勘合部
３      設置板
４      胴部
５      服
６      胴部骨組み
７      連結部
８      玉軸受け
９      肩部
１０    腕
１１    手
１２    頭部骨組み
１３    頭部
１４    マスク
１５ａ  顔面
１５ｂ  顔面
１６    眼球部
１７    発光体ユニット
１８    音声発生ユニット
１９    光センサ
２０    回路
２１    タイマー回路
２２    ソーラーパネル
２３    蓄電池
【図１】
0003155629.tif 000003
【図２】
0003155629.tif 000004
【図３】
0003155629.tif 000005
【図４】
0003155629.tif 000006
【図５】
0003155629.tif 000007